(57)【要約】【課題】Tダイの吐出口と金型の間の隙間をほぼ樹脂成形体の厚さに等しい状態にして溶融樹脂の塗布を行う塗布装置において使用される、簡単な構造でその隙間寸法を維持することができるTダイ保持治具を提供する。【解決手段】本発明に係るTダイ保持治具10は、Tダイ5吐出口と金型の間の隙間をほぼ樹脂成形体の厚さに等しい状態にして溶融樹脂の塗布を行うTダイ保持治具であって、Tダイ5の左右側面に固定される取付け部材11と、その取付け部材11から垂下し端部に軸支されたローラフォロアを有する脚部材15と、基台2に固定されそのローラフォロア155が転動する走行レール20と、を有し、脚部材15は、取付け部材11との固定中心からローラフォロア155の軸芯までの長さが調整できるローラフォロア高さ調整手段を有してなる。【選択図】図２
2017071203.tif 000002
【特許請求の範囲】
【請求項１】
押出機から供給される溶融樹脂を、Tダイをその押出機の長手方向に移動して金型に塗布し、これを押圧して樹脂成形体を成形する方法において使用される、前記Tダイの吐出口と前記金型の間の隙間をほぼ前記樹脂成形体の厚さに等しい状態にして溶融樹脂の塗布を行うTダイ保持治具であって、
前記Tダイの左右側面に固定される取付け部材と、その取付け部材から垂下し端部に軸支されたローラフォロアを有する脚部材と、基台に固定されそのローラフォロアが転動する走行レールと、を有し、
前記脚部材は、前記取付け部材との固定中心から前記ローラフォロアの軸芯までの長さが調整できるローラフォロア高さ調整手段を有するTダイ保持治具。
【請求項２】
Tダイの吐出口と金型の間の隙間寸法は、目標寸法hに対し、h±10（%）に調整される請求項１に記載のTダイ保持治具。
【請求項３】
走行レールは、基台への取付け高さが調整できるレール高さ調整手段を有する請求項１又は２に記載のTダイ保持治具。
【請求項４】
ローラフォロア高さ調整手段は、ローラフォロアを走行レールに押付ける力Ｆが0＜F＞3.0（kN）であるように調整できるものである請求項１〜３の何れか一項に記載のTダイ保持治具。
【請求項５】
ローラフォロア高さ調整手段は、走行レールを基台から持ち上げるようなローラフォロアに負荷される持上げ力Fが0＜F＞3.0（kN）であるように調整できるものである請求項１〜３の何れか一項に記載のTダイ保持治具。
【請求項６】
押出機から供給される溶融樹脂を、Tダイをその押出機の長手方向に移動して金型に塗布し、これを押圧して樹脂成形体を成形する方法において使用される、前記Tダイの吐出口と前記金型の間の隙間をほぼ前記樹脂成形体の厚さに等しい状態にして溶融樹脂の塗布を行うTダイ保持治具であって、
前記Tダイの左右側面に固定される取付け部材と、その取付け部材から垂下し端部に軸支されたローラフォロアを有する脚部材と、基台に固定されそのローラフォロアが転動する走行レールと、を有し、
前記脚部材は、前記取付け部材との固定中心から前記ローラフォロアの軸芯までの長さが調整できるローラフォロア高さ調整手段を有してなり、
前記押出機は、その長手方向に直交する方向に支持された水平軸に軸支され、その水平軸回りに揺動して先端部に設けられた前記Tダイを上下動させる揺動手段を有しているTダイ保持治具。
【請求項７】
ローラフォロアの基台を押圧する方向の走行レールへの押付力は、0.5〜3.0（kN）である請求項６に記載のTダイ保持治具。
【請求項８】
ローラフォロアの走行レールへの押付力は、ローラフォロア高さ調整手段又は／及びZ軸駆動手段により調整することができる請求項６に記載のTダイ保持治具。
【発明の詳細な説明】
【技術分野】
【０００１】
本発明は、Tダイの吐出口と金型の間の隙間をほぼ樹脂成形体の厚さに等しい状態にして溶融樹脂の塗布を行い、薄くて均一な厚さの樹脂成形体を成形するためのTダイ保持治具に関する。
【背景技術】
【０００２】
導光板、マイクロレンズ、あるいは、DNAマイクロアレイなど微細構造を有する部品が樹脂成形体から成形されている。これらの樹脂成形体は、厚さが薄くて高い寸法精度を要求されフォトリソグラフィなどで成形されている。また、Tダイから供給される溶融樹脂を金型に塗布し、これを押圧して樹脂成形体を成形する方法によっても厚さが薄くて高い寸法精度を要求される樹脂成形体が成形されている。
【０００３】
例えば、特許文献１に記載のTダイの吐出口と前記金型の間の隙間をほぼ前記樹脂成形体の厚さに等しい状態にして溶融樹脂の塗布を行う成形体の製造方法によれば、薄肉、かつ大面積の形状であっても高い寸法精度、優れた機械的強度を有する成形体を成形することができるとされる。
【０００４】
しかしながら、特許文献１に記載の成形体の製造方法は、Tダイが溶融樹脂から反力を受けてTダイの吐出口と金型の間の隙間寸法が変化するという問題があり、この問題を解決する提案が特許文献２になされている。すなわち、溶融樹脂を生成する樹脂溶融部と、生成された溶融樹脂の規定量を送出する樹脂輸送部と、送出された溶融樹脂を金型に塗布する吐出部と、塗布された溶融樹脂を加圧して成形体を得る金型とを有してなる成形体の製造装置であって、前記吐出部が、溶融樹脂の塗布の反作用によって上下方向に撓まないように、高剛性ガイドに支持されながら移動して前記溶融樹脂の塗布を行うようになっている成形体の製造装置が提案されている。
【先行技術文献】
【特許文献】
【０００５】
【特許文献１】特開2006-56107号公報
【特許文献２】特開2007-76178号公報
【発明の概要】
【発明が解決しようとする課題】
【０００６】
特許文献２に記載の成形体の製造装置は、Tダイが溶融樹脂から反力を受けてTダイの吐出口と金型の間の隙間寸法が変化するという問題を、隙間寸法の変化量を小さくすることができるTダイ支持用の高剛性ガイドを設けることによって解決している。このため、Tダイは高剛性ガイドに支持されながら移動して溶融樹脂の塗布を行う構造であるから、高い剛性を確保する必要があり高剛性ガイド回りの構造が大きくなって構造が複雑化するという問題がある。
【０００７】
本発明は、このような従来の問題点に鑑み、Tダイの吐出口と金型の間の隙間をほぼ樹脂成形体の厚さに等しい状態にして溶融樹脂の塗布を行う塗布装置において使用される、簡単な構造でその隙間寸法を維持することができ、また、必要に応じてその隙間寸法を調整することができるTダイ保持治具を提供することを目的とする。
【課題を解決するための手段】
【０００８】
本発明に係るTダイ保持治具は、押出機から供給される溶融樹脂を、Tダイをその押出機の長手方向に移動して金型に塗布し、これを押圧して樹脂成形体を成形する方法において使用される、前記Tダイの吐出口と前記金型の間の隙間をほぼ前記樹脂成形体の厚さに等しい状態にして溶融樹脂の塗布を行うTダイ保持治具であって、前記Tダイの左右側面に固定される取付け部材と、その取付け部材から垂下し端部に軸支されたローラフォロアを有する脚部材と、基台に固定されそのローラフォロアが転動する走行レールと、を有し、前記脚部材は、前記取付け部材との固定中心から前記ローラフォロアの軸芯までの長さが調整できるローラフォロア高さ調整手段を有してなる。
【０００９】
上記発明において、Tダイの吐出口と金型の間の隙間寸法は、目標寸法ｈに対し、ｈ±10（%）に調整するのがよい。
【００１０】
走行レールは、基台への取付け高さが調整できるレール高さ調整手段を有するのがよい。
【００１１】
ローラフォロア高さ調整手段は、ローラフォロアを走行レールに押付ける力Ｆが0＜F＞3.0（kN）であるように調整できるものとすることができる。また、ローラフォロア高さ調整手段は、走行レールを基台から持ち上げるようなローラフォロアに負荷される持上げ力Fが0＜F＞3.0（kN）であるように調整できるものとすることができる。
【００１２】
また、本発明に係るTダイ保持治具は、押出機から供給される溶融樹脂を、Tダイをその押出機の長手方向に移動して金型に塗布し、これを押圧して樹脂成形体を成形する方法において使用される、前記Tダイの吐出口と前記金型の間の隙間をほぼ前記樹脂成形体の厚さに等しい状態にして溶融樹脂の塗布を行うTダイ保持治具であって、前記Tダイの左右側面に固定される取付け部材と、その取付け部材から垂下し端部に軸支されたローラフォロアを有する脚部材と、基台に固定されそのローラフォロアが転動する走行レールと、を有し、前記脚部材は、前記取付け部材との固定中心から前記ローラフォロアの軸芯までの長さが調整できるローラフォロア高さ調整手段を有してなり、前記押出機は、その長手方向に直交する方向に支持された水平軸に軸支され、その水平軸回りに揺動して先端部に設けられた前記Tダイを上下動させる揺動手段を有している。
【００１３】
上記Z軸駆動手段を有するTダイ保持治具において、ローラフォロアの基台を押圧する方向の走行レールへの押付力は、0.5〜3.0（kN）にするのがよい。また、このTダイ保持治具において、ローラフォロアの走行レールへの押付力は、ローラフォロア高さ調整手段又は／及びZ軸駆動手段により調整できるものとすることができる。
【発明の効果】
【００１４】
本発明に係るTダイ保持治具は、Tダイの吐出口と金型の間の隙間をほぼ樹脂成形体の厚さに等しい状態にして溶融樹脂の塗布を行う塗布装置に容易に取り付けることができる。そして、このTダイ保持治具は、溶融樹脂の塗布において簡単な構造でTダイの吐出口と金型の間の隙間寸法を溶融樹脂の塗布において所定の大きさに維持することができ、また、必要に応じてその隙間寸法を調整することができる。
【図面の簡単な説明】
【００１５】
【図１】本発明に係るTダイ保持治具を設けた押出機の例を示す模式図である。
【図２】本発明に係るTダイ保持治具の模式図である。
【図３】本発明に係るTダイ保持治具の他の実施例を示す模式図である。
【発明を実施するための形態】
【００１６】
以下、本発明を実施するための形態について図面を基に説明する。図１は、本発明に係るTダイ保持治具を設けた押出機の側面を示す模式図である。本発明に係るTダイ保持治具は、図１に示すように、押出機1の先端に設けられたＴダイ5に取り付けて使用され、Tダイ5の吐出口と金型の間の隙間を成形すべき樹脂成形体の厚さにほぼ等しくして金型に溶融樹脂の塗布を行い、その塗布された溶融樹脂を押圧し、冷却・固化して樹脂成形体を成形する方法の実施に好適に使用することができる。すなわち、押出機1は台車8に載置されており、押出機1が基台2に固定されたレール9に沿ってその長手方向（X方向）に移動すると、金型への溶融樹脂の塗布が、Tダイ保持治具10に保持されたTダイ5により行われる。なお、本発明は、押出機のみならず、溶融樹脂の射出機能の他に樹脂の可塑化及び計量機能を有する射出機においても同様に実施することができる。
【００１７】
本Tダイ保持治具10は、図２に示すように、Tダイ5の左右側面に固定される取付け部材11と、その取付け部材11から垂下し端部に軸支されたローラフォロア155を有する脚部材15と、基台2（図１）に固定されそのローラフォロア155が転動する走行レール20と、を有している。そして、脚部材15は、取付け部材11との固定中心からローラフォロア155の軸芯までの長さが調整できるローラフォロア高さ調整手段を有している。
【００１８】
取付け部材11は、Tダイ5の左右側面に固定されるものであればよく、脱着可能になっているものであってもよい。ローラフォロア155は、走行レール20を走行するに際し、走行レール20を押し付ける方向の力F、または、走行レール20を持ち上げる方向の力F、0＜F＞3.0（kN）の範囲の負荷に耐えることができるものであればよい。かかる負荷がローラフォロア155にかかるように金型への溶融樹脂の塗布を行うことにより、Tダイ5の吐出口と金型の間の隙間寸法を、目標寸法hに対して、h±10（%）に維持することができる。目標寸法hは、成形すべき樹脂成形体の厚さにほぼ等しく、樹脂の種類・特性に応じて最適な値が選択される。なお、ローラフォロア155と同等な機能を有するものであれば、ローラフォロア155の代わりにカムフォロア、ベアリングなどを使用することができる。
【００１９】
ローラフォロア高さ調整手段は、Tダイ5により金型に溶融樹脂の塗布が隙間Sを確保して行われるように、ローラフォロア155の走行レール20から受ける負荷Fが、0＜F＞3.0（kN）の範囲になるように調整することができるものであればよい。図２に示す例のローラフォロア高さ調整手段は、ローラフォロア155が走行レール20を押し付ける力が作用するタイプ（タイプA）である。すなわち、脚部材15は、脚本体151の内部にローラフォロア155が軸支されたシャフト152が収容され、脚本体151の端部に高さ調整ボルト156が螺合しており、ロックナット157が高さ調整ボルト156に螺合している。ローラフォロア155にかかる負荷は、高さ調整ボルト156を進退させることにより調整することができる。
【００２０】
ローラフォロア155にかかる負荷は、上記のように高さ調整ボルト156を進退させることにより調整することができる。しかしながら、押出機1が、図１に示すようなZ軸駆動手段を有するものであるならば、このZ軸駆動手段によってもローラフォロア155にかかる負荷を調整することができる。すなわち、押出機1は、図１に示すように、その両側部から張り出した水平軸85がレール9の上をX軸方向に前後進可能な台車8に軸支されており、押出機1は水平軸85の回りに揺動可能になっている。そして、押出機1の後端部に設けたZ軸駆動手段6の上下動により押出機1の先端部に設けられたTダイ5を水平軸85の回りに揺動させ、Tダイ5をZ軸方向に上下動させることができるようになっている。このTダイのZ軸方向の上下動により、ローラフォロア155にかかる負荷を調整することができる。なお、Z軸駆動手段は、本来はTダイの高さ位置を調整するために設けられるものであるが、押出機1の機能の一つとして設けられるものであるから利用価値が大きい。また、Z軸駆動手段は、ボールねじやパンタグラフなどの駆動手段により押出機1の全体を上下動（Z軸方向）させるものであってもよい。上記タイプAのローラフォロア155にかかる負荷の調整は、上記ローラフォロア高さ調整手段又はZ軸駆動手段のいずれによってもよく、また、負荷の程度によってローラフォロア高さ調整手段とZ軸駆動手段を使い分けてもよく、ローラフォロア高さ調整手段及びZ軸駆動手段をともに使用するものであってもよい。
【００２１】
本発明に係るTダイ保持治具は、ローラフォロア155にかかる負荷について、ローラフォロア155が走行レール20を持ち上げる方向の力が作用するタイプ（タイプB）であってもよい。図３に、タイプBのTダイ保持治具を示す。このTダイ保持治具10は、ローラフォロア155が走行レール20に設けた溝部25に沿って走行するようになっていることに特徴がある。すなわち、シャフト152に軸支されたローラフォロア155が溝部25に沿って走行するようになっており、溶融樹脂を金型に塗布するときにTダイ5が溶融樹脂から受ける反力により、ローラフォロア155が走行レール20を持ち上げる方向の力が作用する。ローラフォロア155が走行する溝部25において、ローラフォロア155と走行レール20との隙間は、数10μm〜数100μmとすることができる。
【００２２】
走行レール20は、基材2への取付け高さを調整することができるレール高さ調整手段を設けるのがよい。このレール高さ調整手段により、ローラフォロア155の走行レール転動面の水平度を確保することができ、均一な厚さ、特性を有する樹脂成形体の成形が容易になる。
【符号の説明】
【００２３】
1    押出機
2    基台
5    Tダイ
6    Z軸駆動手段
8    台車
85    水平軸
9    レール
10    Tダイ保持治具
11    取付け部材
15    脚部材
151    脚本体
152    シャフト
155    ローラフォロア
156    高さ調整ボルト
157    ロックナット
20    走行レール
25    溝部
【図１】
2017071203.tif 000003
【図２】
2017071203.tif 000004
【図３】
2017071203.tif 000005